(57)【要約】【課題】構造が簡単であり、光クロージャへの取り付け作業、及び支持線挟持固定作業の作業性の良好なクロージャ吊金具を提供する。【解決手段】クロージャ吊金具１１の吊金具本体１３は、垂直部２１と水平部２２と下向き部２３とからなる下向き部付き逆Ｌ字形部２０を有し、垂直部２１側でクロージャ１２の本体背面に固定される。吊金具本体１３の水平部２２の下面に沿わせた金属板製の押え金具１４とで支持線２７を挟み、ネジ部を上向きにして下側から通したボルト１５に、上側から螺合する六角穴付きナット１６を螺合させ締付けて、支持線２７を挟持固定する。【選択図】図１
2008233116.tif 000002
【特許請求の範囲】
【請求項１】
垂直部の上端からクロージャ幅方向に直角に折曲された水平部の先端に下向き部を形成した下向き部付き逆Ｌ字形部を有し前記垂直部側でクロージャの本体背面に固定される金属板製の吊金具本体と、前記吊金具本体の水平部の下面に添わされる金属板製の押え金具と、前記吊金具本体及び押え金具にそれぞれあけたボルト挿通穴にネジ部を上向きにして下側から通されるボルトと、前記ボルトに吊金具本体の上面側から螺合する角穴付きナットとからなり、クロージャを吊架するための支持線を、前記吊金具本体の水平部の前記下向き部とボルト挿通穴との間において吊金具本体と押え金具とで挟み前記角穴付きナットを締付けて固定するようにしたことを特徴とするクロージャ吊金具。
【請求項２】
前記押え金具のボルト挿通穴が長穴であり、前記ボルトの軸部付け根に、押え金具の前記ボルト挿通穴に嵌合する角根を形成したことを特徴とする請求項１記載のクロージャ吊金具。
【請求項３】
前記吊金具本体の逆Ｌ字形部の水平部がクロージャの本体に被せられるカバーと反対側に延出していることを特徴とする請求項１又は２記載のクロージャ吊金具。
【請求項４】
前記吊金具本体が、クロージャ長手方向に間隔をあけて配される一対の下向き部付き逆Ｌ字形部の垂直部の下端をクロージャ長手方向をなす連接部を介して一体連接した構成であることを特徴とする請求項１〜３記載のクロージャ吊金具。
【請求項５】
前記吊金具本体及び押え金具の一方又は両方に、前記支持線を収容する凹溝が形成されていることを特徴とする請求項１〜４記載のクロージャ吊金具。
【請求項６】
前記押え金具の幅方向両端縁に回り止め用の上向き突片を形成し、前記吊金具本体の水平部の幅方向両端縁に前記上向き突片に係合可能なストッパを形成したことを特徴とする請求項１〜５記載のクロージャ吊金具。
【発明の詳細な説明】
【技術分野】
【０００１】
この発明は、光ケーブル等の通信ケーブルどうしの接続部を収納するクロージャを支持線に吊架するためのクロージャ吊金具に関する。
【背景技術】
【０００２】
通信ケーブルどうしの接続部を収納するクロージャを電柱間に架け渡した支持線に吊架する場合、一般に、クロージャに取り付けたクロージャ吊金具により支持線に吊架する。
図９、図１０にこの種の従来のクロージャ吊金具１を示す（特許文献１の図３、図４）。このクロージャ吊金具１は、コ字形の吊金具本体３と、この吊金具本体３の下部に取り付けられてクロージャ２の支持線挿入部２ａからクロージャ２内に挿入されるアーム４と、吊金具本体３の上部の水平部３ａに形成された凹部３ｂにてその吊金具本体３とともに支持線５を上下から挟み込むための固定板６と、この固定板６を吊金具本体３の水平部３ａに締め付け固定するための２本のボルト７及びナットとで構成され、クロージャ２の長手方向両側にそれぞれ取り付けられる。８は光ケーブルを示す。アーム４の先端はクロージャ２内に挿入されて内部の図示略の固定金具に固定される。
【０００３】
このクロージャ吊金具１は、コ字形の吊金具本体３によってクロージャ２を吊架する構成とすることで、クロージャ及び支持線の外周を左右一対の吊金具片でクロージャ幅方向両側から挟み込む構造（特許文献１における図７の従来構造）と比べて、当該クロージャにて接続せずに単に通過する通過ケーブルの通過スペースを確保できる、というものである。
【特許文献１】特開２０００−３４１８４５
【発明の開示】
【発明が解決しようとする課題】
【０００４】
しかし、上記図９、図１０に示したクロージャ吊金具１は、吊金具本体３に固定したアーム４をクロージャ内部に挿入し内部の固定金具に固定するものであるから、クロージャへの取り付け構造が煩雑であり、取り付けの作業性もよくない。
また、２つのクロージャ吊金具１をクロージャの長手方向両側にそれぞれ取り付ける構造である点でも煩雑であり、この点でもクロージャ吊金具取り付けの作業性がよくない。
また、吊金具本体３と固定板６とで支持線５を挟持するために２本のボルト７を用いる点でも、作業性がよくない。
また、通信ケーブルをスパイラルハンガーを用いて支持線に支持する場合、クロージャ２の上面と吊金具本体３の水平部３ａとの間が狭く、スパイラルハンガーのためのスペースが必ずしも充分に取れない。
【０００５】
本発明は上記従来の欠点を解消するためになされたもので、構造が簡単であり、クロージャを吊架する際のクロージャ吊金具取り付けの作業性が良好であり、また、クロージャの部分においてスパイラルハンガーのためのスペースを充分に取ることが可能で、スパイラルハンガーにより通信ケーブルを支持する場合に好適なクロージャ吊金具を提供することを目的とする。
【課題を解決するための手段】
【０００６】
上記課題を解決する本発明のクロージャ吊金具は、垂直部の上端からクロージャ幅方向に直角に折曲された水平部の先端に下向き部を形成した下向き部付き逆Ｌ字形部を有し前記垂直部側でクロージャの本体背面に固定される金属板製の吊金具本体と、前記吊金具本体の水平部の下面に添わされる金属板製の押え金具と、前記吊金具本体及び押え金具にそれぞれあけたボルト挿通穴にネジ部を上向きにして下側から通されるボルトと、前記ボルトに吊金具本体の上面側から螺合する角穴付きナットとからなり、クロージャを吊架するための支持線を、前記吊金具本体の水平部の前記下向き部とボルト挿通穴との間において吊金具本体と押え金具とで挟み前記角穴付きナットを締付けて固定するようにしたことを特徴とする。
【０００７】
請求項２は、請求項１のクロージャ吊金具において、押え金具のボルト挿通穴が長穴であり、ボルトの軸部付け根に、押え金具の前記ボルト挿通穴に嵌合する角根を形成したことを特徴とする。
【０００８】
請求項３は、請求項１又はのクロージャ吊金具において、吊金具本体の逆Ｌ字形部の水平部がクロージャの本体に被せられるカバーと反対側に延出していることを特徴とする。
【０００９】
請求項４は、請求項１〜３のクロージャ吊金具において、吊金具本体が、クロージャ長手方向に間隔をあけて配される一対の下向き部付き逆Ｌ字形部の垂直部の下端をクロージャ長手方向をなす連接部を介して一体連接した構成であることを特徴とする。
【００１０】
請求項５は、請求項１〜４のクロージャ吊金具において、吊金具本体及び押え金具の一方又は両方に、前記支持線を収容する凹溝が形成されていることを特徴とする。
【００１１】
請求項６は、請求項１〜５のクロージャ吊金具において、押え金具の幅方向両端縁に回り止め用の上向き突片を形成し、前記吊金具本体の水平部の幅方向両端縁に前記上向き突片に係合可能なストッパを形成したことを特徴とする。
【発明の効果】
【００１２】
本発明のクロージャ吊金具によれば、垂直部と水平部と下向き部とからなる下向き部付き逆Ｌ字形部を有する吊金具本体の垂直部でクロージャの本体背面に固定されるものなので、クロージャ吊金具のクロージャへの取付け構造が簡単であり、取り付け作業も簡単である。
また、支持線を挟持する部分が１本のボルトで済むので、この点でも構造が簡単であり、また、支持線挟持作業の作業性が良好である。
さらに、ボルトはネジ部を上向きにしてボルト挿通穴に通し上側から角穴付きナットを螺合させ締め付け固定する構成なので、単なるナットを螺合させる場合と比較して、ナット締付け作業が容易であり、この点でも支持線挟持作業の作業性が良好である。
また、請求項２によれば、ボルトの軸部付け根の角根により、ボルトの回り止めが図られるので、上側の角穴付きナットを回す際の作業性が良好であり、角穴付きナットを用いた効果が有効に活かされる。
【００１３】
請求項３によれば、吊金具本体の支持線挟持用の水平部がクロージャのカバーと反対側に延出しているので、支持線の下方の空間が広くなり、したがって、通信ケーブルをスパイラルハンガーを用いて支持線に支持する場合に、クロージャの部分において、スパイラルハンガーのためのスペースを充分広く取ることができる。
また、支持線を挟持するボルトはネジ部が上向きになっているので、下方にネジ部が突出せず、スパイラルハンガーがボルトに当たってしまうことがなく、ケーブル工事の際の支障発生の恐れは少ない。
【００１４】
請求項４によれば、２つの下向き部付き逆Ｌ字形部が垂直部下端の連接部で一体連接されているので、吊金具本体は１部品で済み、構造が簡略化され、コストが安くなる。また、クロージャへの取り付けの作業性も良好になる。
【発明を実施するための最良の形態】
【００１５】
以下、本発明を実施したクロージャ吊金具について、図面を参照して説明する。
【実施例１】
【００１６】
図１は本発明の一実施例のクロージャ吊金具１１を取り付けた光クロージャ１２の斜め下方から見た斜視図、図２は同側面図、図３は図２におけるクロージャ吊金具１１部分の拡大した平面図、図４は図３のＡ−Ａ断面図、図５はクロージャ吊金具１１の要部の分解斜視図である。
【００１７】
この実施例のクロージャ吊金具１１は、金属板製の吊金具本体１３と、同じく金属板製の押え金具１４と、ボルト１５と、六角穴付きナット（角穴付きナット）１６とからなっている。図示の光クロージャ１２は概ね箱形をなし、接続部等が設けられた本体１２ａの前面にカバー１２ｂを取り付けた構成である。なお、ナット１６の角穴は必ずしも六角でなくてもよい。
この実施例の吊金具本体１３は、垂直部２１の上端からクロージャ幅方向に直角に折曲された水平部２２の先端に下向き部２３を形成した一対の下向き部付き逆Ｌ字形部２０を有し、この一対の下向き部付き逆Ｌ字形部２０の垂直部２１の下端をクロージャ長手方向をなす連接部２４を介して一体連接した構造であり、前記垂直部２１を光クロージャ１２の本体背面に当てネジ２５で固定されている。連接部２４は上下の横部２４ａの中間が縦部２４ｂで接続された形状である。水平部２２の延出方向は、カバー１２ｂと反対方向であり、したがって、水平部２２の下方スペースは充分広い。
各下向き部付き逆Ｌ字形部（以下場合により単に逆Ｌ字形部と略す）２０の水平部２２には、前記ボルト１５を通す長穴のボルト挿通穴２２aが形成され、それより先端側（下向き部２３側）に、支持線２７を収容する凹溝２２ｂが形成され、また、幅方向（図３で上下方向）の両端縁にストッパ２２ｃが形成されている。
【００１８】
前記押え金具１４は支持線２７を収容する凹溝１４ａ、ボルト１５を通す長穴のボルト挿通穴１４ｂ、回り止め用の上向き突片１４ｃを備えている。ボルト１５を通す前記ボルト挿通穴１４ｂは押え金具１４の概ね中央近傍にあり、支持線２７を収容する凹溝１４ａはそれより先端側（下向き部２３側）にある。また、回り止め用の上向き突片１４ｃは、ボルト挿通穴１４ｂの中央位置における押え金具１４の幅方向両端縁にある。
押え金具１４は、吊金具本体１３の逆Ｌ字形部２０の水平部２２とともに凹溝２２ｂ、１４ａに配された支持線２７を挟み、ボルト挿通穴２２a、１４ｂに頭部１５ａを下にネジ部を上向きにして下側から通したボルト１５に、水平部２２の上面側からワッシャ２８を介在させて六角穴付きナット１６を螺合させ締め付けることで、支持線２７を挟持固定する。
前記六角穴付きナット１６は通常の単なるナットと比べて背が高く、上端部に六角レンチが入る六角穴１６ａが形成されている。この六角穴付きナット１６の六角穴１６ａに上側から六角レンチを嵌合させて回す操作は、スパナによる操作と比べ極めて容易である。
吊金具本体１３の水平部２２に形成した前述のストッパ２２ｃは、押え金具１４側の上向き突片１４ｃに係合することで、押え金具１４がボルト１５を中心として回転することを防止する。
ボルト１５の軸部付け根には角根１５ｂが形成されており、この角根１５ｂが押え金具１４の長穴であるボルト挿通穴１４ｂに嵌合することで、ボルト１４の回り止めが図られる。したがって、上側の六角穴付きナットを回す際の作業性が良好であり、六角穴付きナットを用いた効果が有効に活かされる。
【００１９】
図６、図７は光ケーブル３０ａを接続した光クロージャ１２をクロージャ吊金具１１により支持線２７に吊架した状態を示す。光クロージャ１２で接続された光ケーブル３０ａ及び単に通過する光ケーブル３０ｂはいずれも、支持線２７に螺旋巻きしたスパイラルハンガー３１の螺旋内部を通されることで、スパイラルハンガー３１を介して支持線２７に支持される。
【００２０】
上記のクロージャ吊金具１１は、吊金具本体１３の逆Ｌ字形部２０の垂直部２１で光クロージャ１２の本体背面に固定されるものなので、クロージャ吊金具１１のクロージャへの取付け構造が簡単であり、取り付け作業も簡単である。
また、支持線２７を挟持する部分が、２本のボルトを用いる図９、図１０の従来のクロージャ吊金具１と異なり、１本のボルト１５で済むので、この点でも構造が簡単であり、また、支持線挟持作業の作業性が良好である。
さらに、ボルト１５はネジ部を上向きにしてボルト挿通穴に通し上側から六角穴付きナットを螺合させ締め付け固定する構成なので、従来のクロージャ吊金具のように、単なるナットを螺合させる場合と比較して、ナット締付け作業が容易であり、この点でも支持線挟持作業の作業性が良好である。
【００２１】
また、吊金具本体１３の逆Ｌ字形部２０の水平部２２が光クロージャ１２のカバー１２ｂと反対側に延出しているので、支持線２７の下方の空間が広くなり、したがって、光ケーブル３０ａ、３０ｂをスパイラルハンガー３１を用いて支持線２７に支持する場合に、光クロージャ１２の部分において、スパイラルハンガー３１のためのスペースを充分広く取ることができる。
また、支持線を挟持固定するボルト１５はネジ部が上向きになっているので、下方にネジ部が突出せず、スパイラルハンガー３１がボルト１５に当たってしまうことがなく、ケーブル工事の際の支障発生の恐れは少ない。
【００２２】
また、この実施例のクロージャ吊金具１１は、２つの逆Ｌ字形部２０の垂直部２１の下端が連接部で一体連接されているので、吊金具本体１３が１部品で済み、構造が簡略化され、コストが安くなる。また、光クロージャ１２への取り付けの作業性も良好になる。
【実施例２】
【００２３】
上記実施例のクロージャ吊金具１１の吊金具本体１３は、２つの下向き部付き逆Ｌ字形部２０が下部の連接部２４で一体連接された構造であるが、それぞれが別体であってもよい。すなわち、クロージャ吊金具の吊金具本体が下向き部付き逆Ｌ字形部２０のみからなり、２つのクロージャ吊金具を光クロージャ１２に取り付ける構成としてもよい。
【００２４】
実施例では吊金具本体１３の水平部２２が垂直部２１の上端からカバー１２ｂと反対側に延出しており、水平部２２の下方スペースが広いが、これと逆にカバー１２ｂ側に延出する構成とすることを除外しない。
また、実施例では、支持線２７を収容する凹溝２２ｂ、１４ａを吊金具本体１３の水平部２２及び押え金具１４の両方に形成したが、一方のみであってもよいし、さらには凹溝を形成しない場合も考えられる。
【００２５】
また、実施例の支持線２７は光ケーブルとは別個のものであるが、光ケーブルとして、図８に示すように、光ケーブル部３２と吊線３３とを、くびれ部３４ａにて一体連続する樹脂被覆３４で被覆した自己支持形光ケーブル（吊線付き光ケーブルとも言う）３５を用いる場合は、クロージャ吊金具を吊架する支持線として前記吊線３３を用いることができる。
【００２６】
また、本発明のクロージャ吊金具は、光ケーブルの接続部を収容する光クロージャに限らず、メタルの通信ケーブルの接続部を収容するクロージャを対象とするものでもよい。
【図面の簡単な説明】
【００２７】
【図１】本発明の一実施例のクロージャ吊金具を取り付けた光クロージャの斜め下方から見た斜視図である。
【図２】図１の光クロージャの側面図である。
【図３】図１、図２におけるクロージャ吊金具の要部拡大平面図である。
【図４】図３のＡ−Ａ断面図である。
【図５】上記クロージャ吊金具の要部の分解斜視図である。
【図６】図１の光クロージャをクロージャ吊金具を介して支持線に吊架した状態を示した図である。
【図７】図６のＢ−Ｂ矢視図である。
【図８】支持線が自己支持形光ケーブルの吊線である場合にも適用可能であることを説明するためのもので、自己支持形光ケーブルの一例を示す断面図である。
【図９】従来のクロージャ吊金具を光クロージャとともに示した側面図である。
【図１０】図９のＣ矢視図である。
【符号の説明】
【００２８】
１１  クロージャ吊金具
１２  光クロージャ（クロージャ）
１２ａ  本体
１２ｂ  カバー
１３  吊金具本体
１４  押え金具
１４ａ  凹溝
１４ｂ  ボルト挿通穴
１４ｃ  上向き突片
１５  ボルト
１５ａ  頭部
１５ｂ  角根
１６  六角穴付きナット（角穴付きナット）
１６ａ  六角穴
２０  下向き部付き逆Ｌ字形部
２１  垂直部
２２  水平部
２２ａ  ボルト挿通穴
２２ｂ  凹溝
２２ｃ  ストッパ
２３  下向き部
２４  連接部
２５  ネジ
２７  支持線
２８  ワッシャ
３０ａ、３０ｂ  光ケーブル
３１  スパイラルハンガー
３２  光ケーブル部
３３  吊線
３４  樹脂被覆
３４ａ  くびれ部
３５  自己支持形光ケーブル
【図１】
2008233116.tif 000003
【図２】
2008233116.tif 000004
【図３】
2008233116.tif 000005
【図４】
2008233116.tif 000006
【図５】
2008233116.tif 000007
【図６】
2008233116.tif 000008
【図７】
2008233116.tif 000009
【図８】
2008233116.tif 000010
【図９】
2008233116.tif 000011
【図１０】
2008233116.tif 000012